(57)【要約】【課題】安価で、配管との組み付け作業が容易な配管支持具を提供する。【解決手段】配管支持具１では、配管を支持する保持部２と、保持部２を所定箇所に固定する固定部３とが樹脂材料で一体成形されたものである。保持部２は、第１切り欠き２１と第２切り欠き２２とを有しており、配管は、第１切り欠き２１又は及び第２切り欠き２２に押込まれることによって支持される。このため、配管との組み付け作業が容易になり作業性が向上する。また、非金属製の保持部２が、配管と保持部２との干渉時に発生する衝撃を軽減するので、配管の損傷が防止され、衝撃音も軽減され低騒音である。【選択図】図３
2009092114.tif 000002
【特許請求の範囲】
【請求項１】
配管（６８，６９）と近接する固定物（７１）上に固定され前記配管（６８，６９）を支持する配管支持具であって、
前記配管（６８，６９）を掴む切り欠き（２１，２２）を有する保持部（２）と、
前記固定物（７１）上に前記保持部（２）を固定する固定部（３）と、
が非金属材料で一体成形されている、
配管支持具（１）。
【請求項２】
前記保持部（２）と前記固定部（３）とが樹脂材料で一体成形されている、
請求項１に記載の配管支持具（１）。
【請求項３】
前記保持部（２）が、複数の前記切り欠き（２１，２２）を有する、
請求項１又は請求項２に記載の配管支持具（１）。
【請求項４】
前記固定部（３）が、スリット（３１）を有している、
請求項１から請求項３のいずれか１項に記載の配管支持具（１）。
【請求項５】
前記固定部（３）が、前記固定物（７１）と対向する側に、粘着材が付された粘着面（３２）を有している、
請求項１から請求項３のいずれか１項に記載の配管支持具（１）。
【請求項６】
圧縮機の近傍に固定され、前記保持部（２）が前記圧縮機周りの配管を支持する、
請求項３から請求項５のいずれか１項に記載の配管支持具（１）。
【請求項７】
請求項１から請求項６のいずれか１項に記載の配管支持具を備えた、
冷凍装置。
【発明の詳細な説明】
【技術分野】
【０００１】
本発明は、配管支持具、特に、空調用冷媒配管を支持する配管支持具に関する。
【背景技術】
【０００２】
従来、配管を支持する手段として、中央にビス止め用の貫通孔を有した複数の板部を薄肉のヒンジ部で連接した配管支持具が使用されている（例えば、特許文献１参照）。特許文献１の記載によれば、板部と薄肉ヒンジ部とは合成樹脂で一体成形されており、作業者は、配管の太さに応じて適当な長さに切断し、配管に巻き付けた状態で所定の箇所にビス締めして固定している。したがって、太さの異なる配管を支持するときでも、作業者は、１種類の配管支持具を準備すればよいので、使い勝手がよく、在庫管理も簡単である。
【特許文献１】特開平１１−０３７３４８号公報
【発明の開示】
【発明が解決しようとする課題】
【０００３】
しかしながら、上記のような配管支持具は、配管ごとにビス止めが必要であるため、ビス及びビス締め作業は配管の数量に比例して増加する。さらに、空調用冷媒配管のように、予めロウ付け溶接等によって所定位置に配置される配管を支持する場合、そして、そこが手を這わせ難い狭い場所である場合には、配管と配管支持具との組み付け作業が難航し、生産性を著しく低下させる可能性があった。
【０００４】
本発明の課題は、安価で、配管との組み付け作業が容易な配管支持具を提供することにある。
【課題を解決するための手段】
【０００５】
第１発明に係る配管支持具は、配管と近接する固定物上に固定されて配管を支持する配管支持具であって、配管を掴む切り欠きを有する保持部と、固定物上に保持部を固定する固定部と、が非金属材料で一体成形されている。
【０００６】
この配管支持具では、保持部の切り欠きに配管を掴ませるだけで、配管との組み付け作業が完了するので作業性が向上する。また、非金属製の保持部が、配管と保持部との干渉時に発生する衝撃を軽減するので、配管の損傷が防止される。さらに、衝撃音も軽減され低騒音である。
【０００７】
第２発明に係る配管支持具は、第１発明に係る配管支持具であって、保持部と固定部とが樹脂材料で一体成形されている。
【０００８】
この配管支持具では、金型による一体成形が可能となるので生産性が向上する。また、樹脂製の保持部が、配管と保持部との干渉時に発生する衝撃を軽減するので、配管の損傷が防止される。さらに、衝撃音も軽減され低騒音である。
【０００９】
第３発明に係る配管支持具は、第１発明又は第２発明に係る配管支持具であって、保持部が、複数の切り欠きを有している。
【００１０】
この配管支持具では、複数の配管を１つの配管支持具で支持することができるので、部品点数の削減となり、作業性も向上する。
【００１１】
第４発明に係る配管支持具は、第１発明から第３発明のいずれか１つに係る配管支持具であって、固定部が、スリットを有している。
【００１２】
この配管支持具では、固定物側に板金を取り付けることで、スリットを介して固定部を板金に固定させることができる。その結果、配管支持予定箇所への先付けが可能となり、配管支持具の取付作業が容易で作業性が向上する。
【００１３】
第５発明に係る配管支持具は、第１発明から第３発明のいずれか１つに係る配管支持具であって、固定部が、固定物と対向する側に、粘着材が付された粘着面を有している。
【００１４】
この配管支持具では、固定物側への取付が、貼り付けるだけで完了するので、配管支持予定箇所への先付けが可能となり、作業性が向上する。
【００１５】
第６発明に係る配管支持具は、第３発明から第５発明のいずれか１つに係る配管支持具であって、圧縮機の近傍に固定され、保持部が圧縮機周りの配管を支持する。
【００１６】
この配管支持具では、圧縮機の吸入管および吐出管を一括保持することができるので、使い勝手がよい。また、圧縮機稼働時の配管の振動を吸収するので、騒音が抑制される。
【００１７】
第７発明に係る冷凍装置は、第１発明から第６発明のいずれか１つに係る配管支持具を備えている。
【００１８】
この冷凍装置では、配管の位置決め作業が容易になり、冷凍装置の製造コストが低減される。
【発明の効果】
【００１９】
第１発明に係る配管支持具では、保持部の切り欠きに配管を掴ませることによって、配管との組み付け作業が完了するので作業性が向上する。また、非金属製の保持部が、配管と保持部との干渉時に発生する衝撃を軽減するので、配管の損傷が防止される。さらに、衝撃音も軽減され低騒音である。
【００２０】
第２発明に係る配管支持具では、金型による一体成形が可能となるので生産性が向上する。また、樹脂製の保持部が、配管と保持部との干渉時に発生する衝撃を軽減するので、配管の損傷が防止される。さらに、衝撃音も軽減され低騒音である。
【００２１】
第３発明に係る配管支持具では、複数の配管を１つの配管支持具で支持することができるので、部品点数の削減となり、作業性も向上する。
【００２２】
第４発明に係る配管支持具では、固定物側に板金を取り付けることで、スリットを介して固定部を板金に固定させることができる。その結果、配管支持予定箇所への先付けが可能となり、配管支持具の取付作業が容易で作業性が向上する。
【００２３】
第５発明に係る配管支持具では、固定物側への取付は、貼り付けるだけで完了するので、配管支持予定箇所への先付けが可能となり、作業性が向上する。
【００２４】
第６発明に係る配管支持具では、圧縮機の吸入管および吐出管を一括保持することができるので、使い勝手がよい。また、圧縮機稼働時の配管の振動を吸収するので、騒音が抑制される。
【００２５】
第７発明に係る冷凍装置では、配管の位置決め作業が容易になり、冷凍装置の製造コストが低減される。
【発明を実施するための最良の形態】
【００２６】
以下図面を参照しながら、本発明の実施形態について説明する。なお、以下の実施形態は、本発明の具体例であって、本発明の技術的範囲を限定するものではない。
【００２７】
＜配管支持具の構成＞
図１は、本発明の一実施形態に係る配管支持具の斜視図である。図１において、配管支持具１は、弾力性を有する固体物であり、材料としては、発泡ポリエチレン材、発泡ポリプロピレン材などが好ましい。本実施形態では、配管を支持するための保持部２と、保持部２を所定の場所に取り付けるための固定部３とが、発泡ポリプロピレン材で一体成形されている。
【００２８】
保持部２は、第１切り欠き２１と第２切り欠き２２とを有しており、第１切り欠き２１は、配管挿入口２１ａと配管支持部２１ｂとから成り、第２切り欠き２２は、配管挿入口２２ａと配管支持部２２ｂとから成る。配管を掴むように支持するために、配管挿入口２１ａ，２２ａの幅寸法は、支持すべき配管の外径よりも小さく設定され、配管支持部２１ｂ，２２ｂの直径は、支持すべき配管の外径と同じ或はそれよりもやや小さい寸法に設定されている。なお、切り欠きの数は、支持する配管の数に合わせて、増減すればよい。
【００２９】
固定部３は、保持部２と一体成形されており、保持部２の輪郭を形成すると共に、保持部２に保持力を提供している。固定部３は、配管が位置する空間に保持部２を配置するため、配管に最も近い固定物上に取り付けられる。取付方法には、引掛け方式と貼り付け方式とがあり、固定部３は、前記両方式に対応するため、固定物上に引掛けるときに利用されるスリット３１と、固定物上に貼り付けられるときに使用される粘着面３２とを有している。
【００３０】
図２は、配管支持具が固定物に取り付けられる状態を示す斜視図である。図２において、固定物７１の表面には、予め板金部品７２が溶接によって固定されている。板金部品７２は、配管支持具１のスリット３１を含む端部を囲むことができる程度の大きさであり、スリット３１を引っ掛けて固定する固定板７２ａを有している。
【００３１】
従来の配管支持具は、配管に組み付けられた後に、複数のビス孔が設けられた大きな板金部品にビス締めによって固定されていたが、本実施形態に係る配管支持具１は、スリット３１を含む端部を囲む程度の大きさで足りるので、材料費の削減に貢献することができる。
【００３２】
固定板７２ａの肉厚寸法は、スリット３１の幅寸法と同じ或はやや大きい寸法に仕上げられており、スリット３１と固定板７２ａとは，一旦嵌まり込むと容易に外れることはない。固定物７１の表面が塗装された清浄な表面である場合は、スリット３１及び板金部品７２を使用することなく、粘着面３２によって固定物７１の表面に貼り付ければよい。もちろん、スリット３１と粘着面３２の両方を使用して固定物７１に固定してもよい。
【００３３】
図３は、配管を支持した状態の配管支持具の斜視図である。図３において、配管支持具１は、固定物に固定された後に、第１切り欠き２１で配管６８を掴み，第２切り欠き２２で配管６９を掴む。従来の配管支持具は、配管に組み付けた後に固定物へビス締めされていたので、配管と配管との間隔が作業者の手が入らないほどに狭い場合には、手を這わすことができないため作業効率が著しく低下していた。
【００３４】
しかし、本実施形態の配管支持具１は、配管支持予定箇所に先に固定され後に、配管６８及び配管６９が組み付けられる。具体的には、配管６８を第１切り欠き２１の配管挿入口２１ａから押込むだけで配管支持具１と配管６８との組み付け作業が完了する。同様に、配管６９を第２切り欠き２２の配管挿入口２２ａから押込むだけで配管支持具１と配管６９との組み付け作業が完了する。
【００３５】
保持部２に配管を支持させる際、配管を配管挿入口２１ａ，２１ｂ側から押込むのが好ましいが、それに限定されるものではなく、配管を配管支持部２１ｂ，２２ｂに直接挿入してもよい。
【００３６】
なお、配管６８，６９の支持が完了した後に、且つ配管６８，６９の近傍に新たな配管を支持させたい場合には、従来の配管支持具を用いて板金部品７２のビス孔７２ｂにビス締めして支持させればよいので、従来の配管支持具との共存も可能である。
【００３７】
＜冷凍装置の冷媒配管への適用＞
図４は、冷媒配管が配置される前の冷凍装置の圧縮機周辺の斜視図であり、図５は、冷媒配管が配置された後の冷凍装置の圧縮機周辺の斜視図である。図４，５において、冷凍装置１００は、四路切換弁、室内熱交換器、室外熱交換器、アキュムレータ及び圧縮機が接続された冷媒回路内に、冷媒を循環させて吸熱と放熱を繰り返させる装置であり、詳細な構成は広く文献で紹介されているので、ここでは説明を省略する。
【００３８】
冷凍装置１００では、一般的に、圧縮機８１の近傍にアキュムレータ９１が並んで配置されている。圧縮機８１は、冷媒の吸入口８２及び冷媒の吐出口８３を有し、冷媒の吸込み、圧縮及び吐出を行なう。
【００３９】
アキュムレータ９１は、冷媒回路上、圧縮機８１よりも冷媒流れの上流にあって、液冷媒が圧縮機８１に吸引されないように、液冷媒とガス冷媒とを分離し、余分な冷媒を貯える。アキュムレータ９１の頭部には、冷媒回路内の四路切換弁（図示せず）と連絡される冷媒入口９２と、圧縮機８１の吸入口８２と連絡される冷媒出口９３とを有している。
【００４０】
図４に示すように、圧縮機８１及びアキュムレータ９１に冷媒配管が接続される前に、配管支持具１がアキュムレータ９１の圧縮機８１側に取り付けられる。配管支持具１は、図２，３で説明した板金部品７２による引掛け方式でアキュムレータ９１に取り付けられる。アキュムレータ９１の周囲に冷媒配管がないときに取り付けられるので、作業は簡単である。
【００４１】
図５において、配管支持具１は、吸入管１６８と吐出管１６９とを支持している。吸入管１６８は、圧縮機８１の吸入口８２とアキュムレータ９１の冷媒出口９３とを連絡している。吐出管１６９は、圧縮機８１の吐出口８３と冷媒回路内の四路切換弁（図示せず）とを連絡している。
【００４２】
作業者は、配管支持具１の第１切り欠き２１に吸入管１６８を押込み、配管支持具１の第２切り欠き２２に吐出管１６９を押込むだけで、支持が完了する。これは、配管支持具１を配管支持予定箇所に先に配置した後に、配管を押込むという作業手順であるため、従来のような作業者が狭い空間に手を回して配管支持具をビス締めするという作業が不要になる。
【００４３】
また、吸入管１６８及び吐出管１６９は、配管支持具１によって鉛直方向に立った姿勢で、且つ水平方向に振れないように位置決め支持されるので、ロウ付け溶接時の姿勢が安定し、作業者は、ロウ付け溶接を効率よく行なうことができる。
【００４４】
以上のように、配管支持具１を冷凍装置の圧縮機周辺に適用することによって、圧縮機の吸入管および吐出管を一括保持することができ、配管の位置決め作業が容易になり、冷凍装置の製造コストが低減される。また、配管支持具１は発泡ポリプロピレン材で成形されているので、圧縮機稼働時の配管の振動が配管支持具１に吸収され、騒音が抑制される。
【００４５】
また、従来のように、配管ごとにビス締めをする必要がないので、ビスの使用量及びビス締め作業が減り、材料費及び作業工数の削減に貢献する。
【００４６】
＜特徴＞
（１）
配管支持具１では、配管を支持する保持部２と、保持部２を所定箇所に固定する固定部３とが樹脂材料で一体成形されたものである。保持部２は、第１切り欠き２１と第２切り欠き２２とを有しており、配管は、第１切り欠き２１又は及び第２切り欠き２２に押込まれることによって支持される。このため、配管との組み付け作業が容易になり作業性が向上する。また、非金属製の保持部２が、配管と保持部２との干渉時に発生する衝撃を軽減するので、配管の損傷が防止され、衝撃音も軽減され低騒音である。
【００４７】
（２）
配管支持具１では、固定部３が、スリット３１を有しているので、固定物側に板金部品７２を取り付けることで、スリット３１を介して板金部品７２に固定させることができる。さらに、固定物と対向する側に粘着材が付された粘着面３２を有しているので、貼り付けるだけでもよい。それらの結果、配管支持予定箇所への先付けが可能となり、配管支持具の取付作業が容易になり作業性が向上する。
【００４８】
＜その他＞
本実施形態では、配管支持具１が発泡ポリプロピレン材、又は発泡ポリスチレン材で成形されているが、それらに限定されるものではなく、エラストマ或ゴムで成形されてもよい。
【産業上の利用可能性】
【００４９】
以上のように、本発明によれば、配管支持予定箇所に先に配置されるので、複数の配管が近接した手の入り難い狭い場所に使用される配管支持具に有用である。
【図面の簡単な説明】
【００５０】
【図１】本発明の一実施形態に係る配管支持具の斜視図。
【図２】配管支持具が固定物に取り付けられる状態を示す斜視図。
【図３】配管を支持した状態の配管支持具の斜視図。
【図４】冷媒配管が配置される前の冷凍装置の圧縮機周辺の斜視図。
【図５】冷媒配管が配置された後の冷凍装置の圧縮機周辺の斜視図。
【符号の説明】
【００５１】
１  配管支持具
２  保持部
３  固定部
２１  第１切り欠き
２２  第２切り欠き
３１  スリット
３２  粘着面
６８，６９  配管
７１  固定物
８１  圧縮機
【図１】
2009092114.tif 000003
【図２】
2009092114.tif 000004
【図３】
2009092114.tif 000005
【図４】
2009092114.tif 000006
【図５】
2009092114.tif 000007